(57)【要約】【課題】収容した可塑性の食品を吐出口から押し出して吐出する包装容器を低コストで実現すると共に、吐出を確実・容易とする。【解決手段】内部に可塑性食品Ｓを収容する容器を、包装用フィルムからなる偏平な袋体Ｂにより構成し、収容した可塑性食品を容器の押圧により押し出して吐出するための吐出口４を上記の袋体の一方の面に開口すると共に、この吐出口を覆うフィルム状の蓋状片５を外力により剥離可能な接着力をもって袋体に接着する。【選択図】      図１
2004331179.tif 000002
【特許請求の範囲】
【請求項１】
内部に可塑性食品を収容する容器を、包装用フィルムからなる偏平な袋体により構成し、収容した可塑性食品を容器の押圧により押し出して吐出するための吐出口を上記の袋体の一方の面に開口すると共に、この吐出口を覆うフィルム状の蓋状片を外力により剥離可能な接着力をもって袋体に接着したことを特徴とする可塑性食品の包装容器。
【請求項２】
蓋状片の一端に袋体との非接着箇所を設けることにより、摘まみ代とした請求項１記載の可塑性食品の包装容器。
【請求項３】
平面矩形状に構成した袋体の一端において内部に構成される空間が短手辺に向かって台形状に狭まるように、上記短手辺と長手辺との角部の袋体の表裏の面を三角形状に接着し、吐出口を上記の台形箇所に配した請求項１又は２記載の可塑性食品の包装容器。
【請求項４】
袋体は包装用フィルムを合掌状の接合部を有する筒状に折曲すると共に、筒の開口端の内面同士を接合することにより構成されるピロー包装袋である請求項１から３の何れかに記載の可塑性食品の包装容器。
【請求項５】
可塑性食品はソフトクリームである請求項１から４の何れかに記載の可塑性食品の包装容器。
【発明の詳細な説明】
【０００１】
【発明の属する技術分野】
この発明はソフトクリーム等の可塑性の食品の包装容器に関し、より詳細には収容した食品を吐出口から押し出して吐出する機能を有する容器に関する。
【０００２】
【従来の技術】
従来、ソフトクリーム等の可塑性の食品を１回使用分毎に小分けして収容し、収容した可塑性食品を容器の押圧により吐出口より押し出して吐出する容器が公知であった（公知例としては特開平７−２２７２１４、実公平７−１９２７３、実用新案登録第２５６８８０８号、特開２００２−１２８１８１等）。そして、これらの容器は底部に吐出口を設けた円筒形であった。
【０００３】
【発明が解決しようとする課題】
容器に収容された可塑性食品は容器の押圧により押し出されるが、前記の公知発明においては容器は立体的な円筒形状をなしているので、確実な押圧による食品の押し出しを実現するためにはそれが正確に変形することが必要であり、そのために周壁にベローズやネジ溝状段部を設けなくてはならなかった。又、このような容器を製造するには金型が必要となり、製造コストが嵩む問題があった。
【０００４】
一方、可塑性食品は容器に収容された状態で流通に供されるが、前記のように容器は立体的な円筒形状をなしているので収容スペースが嵩み、保管や輸送において不利であり、家庭での消費を想定した場合には冷凍庫のスペースをいたずらに占める問題があった。
【０００５】
更に、ソフトクリームに関する近年の動向として、容器に収容したソフトクリームを冷凍状態で流通し、冷凍により硬化したソフトクリームを押し出しに先立ち容器ごと揉みしごいて吐出に適した柔らかさまで軟化させることが提案されているが、立体的な円筒形状をなしている前記の容器はこのような操作に馴染まない問題があった。
【０００６】
【課題を解決するための手段】
この発明は以上の従来技術の問題点に鑑みて創作されたものであり、内部に可塑性食品を収容する容器を、包装用フィルムからなる偏平な袋体により構成し、収容した可塑性食品を容器の押圧により押し出して吐出するための吐出口を上記の袋体の一方の面に開口すると共に、この吐出口を覆うフィルム状の蓋状片を外力により剥離可能な接着力をもって袋体に接着したことを特徴とする。
【０００７】
【発明の実施の形態】
以下、この発明の具体的実施例を添付図面に基づいて説明する。添付図面はこの発明をソフトクリーム用の包装容器に実施した例を示す図である。図中符号Ｂは容器を構成する袋体であり、包装用フィルムにより表側の面３と裏側の面２を有する平面矩形の偏平状に構成される。この実施例では製袋手段としてピロー包装を採用し、包装用フィルムを合掌状の接合部１、１（図４乃至図６参照）を有する筒状に折曲すると共に、筒の開口端の内面同士を接合部７、８として接合することにより偏平な袋体を得ている。尚、この実施例では袋体Ｂを構成する包装用フィルムとして、シーラント基材にＬＬＤＰＥ等の熱可塑性ポリオレフィン樹脂フィルム、中基材に二軸延伸ナイロンフィルム、表基材に易開封性ヒートシール２軸延伸ポリプロピレンフィルムを使用したラミネートフィルムを採用しているが、これは一例であり素材はこれに限定されないことは勿論である。
【０００８】
以上の袋体Ｂの表側の面３には収容されたソフトクリームＳ（可塑性食品）を吐出するために吐出口４が開口される。この吐出口４の形状に従って、吐出されるソフトクリームの断面形状が決定されるものであり、ここでは吐出口の形状として星型のものを例示している。図中符号５は上記の吐出口４を覆うフィルム状の蓋状片であり、外力により剥離可能な接着力をもって袋体Ｂの表側の面３に接着される。この実施例では、上記の蓋状片５は袋体Ｂの表基材と同じ易開封性ヒートシール２軸延伸ポリプロピレンフィルムを採用し、吐出口４の周囲に枠状に配されたヒートシール部６においてヒートシールされる。又、ヒートシールにあたっては、蓋状片５の一端に袋体Ｂとの非接着箇所５Ａを設けることにより、これを蓋状片を引き剥がす際の摘まみ代としている。
【０００９】
以上の構成よりなる包装容器は収容したソフトクリームＳを容器の押圧により押し出して吐出するが、従来技術と異なりこの発明においては吐出口４は袋体の底部でなく側面（偏平な面）に設けているので、押し出されるソフトクリームが吐出口に集中しないおそれがある。そこで、この実施例では袋体Ｂの一端において内部に構成される空間Ｒが短手辺に向かって台形状に狭まるように、上記短手辺と長手辺との角部の袋体の表裏の面を三角形状７Ａ、７Ａに接着し、吐出口４を上記の台形箇所に配することにより押し出されるソフトクリームが吐出口に集中するようにしている。
【００１０】
【発明の効果】
以上の構成よりなるこの発明は次の特有の効果を奏する。
（１）  従来技術のように容器を立体的な円筒形状とせずに、包装用フィルムによる偏平な袋体により構成しているので、金型を使用しないで容易に製造することが可能となり製造コストが軽減される。
（２）  容器は偏平な袋体により構成されるので、積み重ねや配列が容易で収容スペースをとらず、流通コストや保管コストが軽減される。
（３）  容器に収容したソフトクリームを冷凍状態で流通し、冷凍により硬化したソフトクリームを押し出しに先立ち容器ごと揉みしごいて吐出に適した柔らかさまで軟化させることを想定した場合、容器は立体的な円筒形状でなく、偏平な袋体により構成されるので、袋体を厚み方向に押圧することにより容易に揉みしごくことが可能であり、又、吐出口は厚み方向に開口しているので揉みしごきによる圧力により蓋状片が不用意に外れるおそれもない。
（４）  同様の理由より、吐出時の押圧も容易である。
（５）  蓋状片を引き剥がすだけで吐出口が露出するので、ワンタッチで使用に供することが可能となる。
【図面の簡単な説明】
【図１】この発明の包装容器の可塑性食品を収容した状態の開封前の斜視図。
【図２】同上、開封中途の斜視図。
【図３】同上、開封後の斜視図。
【図４】同上、裏側から観察した斜視図。
【図５】同上、開封前の断面図。
【図６】同上、開封後の断面図。
【符号の説明】
Ｂ      袋体
Ｓ      可塑性食品
４      吐出口
５      蓋状片
【図１】
2004331179.tif 000003
【図２】
2004331179.tif 000004
【図３】
2004331179.tif 000005
【図４】
2004331179.tif 000006
【図５】
2004331179.tif 000007
【図６】
2004331179.tif 000008